(57)【要約】【課題】高電圧の電源を供給するためのコネクタを提供する。【解決手段】電源と前記電源から電力の供給を受ける電子機器とを電気的に接続するための雌コネクタと接続される雄コネクタにおいて、雌コネクタは、雄コネクタとの接合を固定するための着脱ロックと、制御スイッチと、接合スイッチを有しており、雌コネクタと雄コネクタを嵌合することにより、着脱ロックが回転し、雄コネクタと雌コネクタとの接合が固定され、接合スイッチを押下することにより、制御スイッチの接点が接続され、雌コネクタ及び雄コネクタを介し、電源から電力が前記電子機器に供給されると同時に、脱着ロックが固定されるものであることを特徴とする雄コネクタを提供することにより上記課題を解決する。【選択図】  図３
2010033967.tif 000002
【特許請求の範囲】
【請求項１】
電源と前記電源から電力の供給を受ける電子機器とを電気的に接続するための雌コネクタと接続される雄コネクタにおいて、
前記雌コネクタは、前記雄コネクタとの接合を固定するための着脱ロックと、制御スイッチと、接合スイッチを有しており、
前記雌コネクタと前記雄コネクタを嵌合することにより、前記着脱ロックが回転し、前記雄コネクタと前記雌コネクタとの接合が固定され、
前記接合スイッチを押下することにより、前記制御スイッチの接点が接続され、前記雌コネクタ及び前記雄コネクタを介し、前記電源から電力が前記電子機器に供給されると同時に、前記脱着ロックが固定されるものであることを特徴とする雄コネクタ。
【請求項２】
前記雄コネクタには接地用プラグ端子が設けられており、
前記雌コネクタには、前記接地用プラグ端子に対応した接地用ジャック端子が設けられおり、
前記雌コネクタと雄コネクタとが嵌合した状態においては、前記接地用プラグ端子と前記接地用ジャック端子とは嵌合した状態にあることを特徴とする請求項１に記載の雄コネクタ。
【請求項３】
前記電源より供給される電力は、直流であることを特徴とする請求項１または２に記載の雄コネクタ。
【請求項４】
前記電源より供給される電力の電圧は、４８Ｖを超える電圧であることを特徴とする請求項１から３のいずれかに記載の雄コネクタ。
【請求項５】
電源と前記電源から電力の供給を受ける電子機器とを電気的に接続するための雄コネクタと接続される雌コネクタにおいて、
前記雌コネクタは、前記雄コネクタとの接合を固定するための着脱ロックと、制御スイッチと、接合スイッチを有しており、
前記雌コネクタと前記雄コネクタを嵌合することにより、前記着脱ロックが回転し、前記雄コネクタと前記雌コネクタとの接合が固定され、
前記接合スイッチを押下することにより、前記制御スイッチの接点が接続され、前記雌コネクタ及び前記雄コネクタを介し、前記電源から電力が前記電子機器に供給されると同時に、前記脱着ロックが固定されるものであることを特徴とする雌コネクタ。
【請求項６】
前記制御スイッチは、金属からなる板バネ状のスイッチであることを特徴とする請求項５に記載の雌コネクタ。
【請求項７】
前記着脱ロックは、一方にツメ状部を他方に円形状の凸部を有し、中央部に回転軸を有し、回転可能な状態で前記雌コネクタに固定されており、前記雄コネクタが、前記雌コネクタに嵌入することにより、前記雄コネクタの本体が前記円形状の凸部を押し、前記着脱ロックが回転することにより、前記ツメ状部が、前記雄コネクタの本体に接合し、前記雄コネクタと前記雌コネクタとの接合が固定されるものであることを特徴とする請求項５または６に記載の雌コネクタ。
【請求項８】
前記雄コネクタには接地用プラグ端子が設けられており、
前記雌コネクタには、前記接地用プラグ端子に対応した接地用ジャック端子が設けられおり、
前記雌コネクタと雄コネクタとが嵌合した状態においては、前記接地用プラグ端子と、前記接地用ジャック端子とが嵌合した状態にあることを特徴とする請求項５から７のいずれかに記載の雌コネクタ。
【請求項９】
前記電源より供給される電力は、直流であることを特徴とする請求項５から８のいずれかに記載の雌コネクタ。
【請求項１０】
前記電源より供給される電力の電圧は、４８Ｖを超える電圧であることを特徴とする請求項５から９のいずれかに記載の雌コネクタ。
【請求項１１】
電源と前記電源から電力の供給を受ける電子機器とを電気的に接続するための雄コネクタと雌コネクタからなるコネクタであって、
前記雌コネクタには、前記雄コネクタとの接合を固定するための着脱ロックと、制御スイッチと、接合スイッチを有しており、
前記雌コネクタと前記雄コネクタを嵌合することにより、前記着脱ロックが動き、前記雄コネクタと前記雌コネクタとの接合が固定され、
前記接合スイッチを押下することにより、前記制御スイッチの接点が接続され、前記雌コネクタ及び前記雄コネクタを介し、前記電源から電力が前記電子機器に供給されると同時に、前記脱着ロックが固定されるものであることを特徴とするコネクタ。
【請求項１２】
前記制御スイッチは、金属からなる板バネ状のスイッチであることを特徴とする請求項１１に記載のコネクタ。
【請求項１３】
前記着脱ロックは、一方にツメ状部を他方に円形状の凸部を有し、中央部に回転軸を有し回転可能な状態で、前記雌コネクタに固定されており、前記雄コネクタが、前記雌コネクタに嵌入することにより、前記雄コネクタの本体が前記円形状の凸部を押し、前記着脱ロックが回転することにより、前記ツメ状部が、前記雄コネクタの本体に接合し、前記雄コネクタと前記雌コネクタとの接合が固定されるものであることを特徴とする請求項１１または１２に記載のコネクタ。
【請求項１４】
前記雄コネクタには接地用プラグ端子が設けられており、
前記雌コネクタには、前記接地用プラグ端子に対応した接地用ジャック端子が設けられおり、
前記雌コネクタと雄コネクタとが嵌合した状態においては、前記接地用プラグ端子と前記接地用ジャック端子とは嵌合した状態にあることを特徴とする請求項１１から１３のいずれかに記載のコネクタ。
【請求項１５】
前記電源より供給される電力は、直流であることを特徴とする請求項１１から１４のいずれかに記載のコネクタ。
【請求項１６】
前記電源より供給される電力の電圧は、４８Ｖを超える電圧であることを特徴とする請求項１１から１５のいずれかに記載のコネクタ。
【発明の詳細な説明】
【技術分野】
【０００１】
本発明は、電力を供給するために用いられる雄コネクタ、雌コネクタ及びコネクタに関する。
【背景技術】
【０００２】
一般的に電気機器は、電源より電力の供給を受け動作する。このように、電源より電力の供給を受ける際には、通常コネクタを介し電源より電気機器へ電力が供給される。この際用いられるコネクタは、特許文献１、２に開示されているように、凸状の雄型タイプのコネクタと、凹状の雌型タイプのコネクタを嵌合することにより、電気的に接続を行うものである。
【０００３】
一方近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するためこのような電力供給が望ましいものとされている。
【０００４】
このように電気機器に供給される電力に関しては、電圧が高いと人体に影響を及ぼす場合や、電子部品の動作に影響を与える場合がある。
【０００５】
このような高電圧の電力をサーバ等の情報機器に用いる場合においては、装置の設置やメンテナンスの際においては、人により作業が行われるため、電気的接続がされている部分であるコネクタは通常の交流の商用電源に用いられるものとは異なるものとする必要がある。
【特許文献１】特開平５−８２２０８号公報
【特許文献２】特開２００３−３１３０１号公報
【発明の開示】
【発明が解決しようとする課題】
【０００６】
本発明は、上記点に鑑みてなされたものであり、特に、高電圧の電力を安全に供給することが可能な雄コネクタ、雌コネクタ及びコネクタを提供することを目的とするものである。
【課題を解決するための手段】
【０００７】
本発明は、電源と前記電源から電力の供給を受ける電子機器とを電気的に接続するための雌コネクタと接続される雄コネクタにおいて、前記雌コネクタは、前記雄コネクタとの接合を固定するための着脱ロックと、制御スイッチと、接合スイッチを有しており、前記雌コネクタと前記雄コネクタを嵌合することにより、前記着脱ロックが回転し、前記雄コネクタと前記雌コネクタとの接合が固定され、前記接合スイッチを押下することにより、前記制御スイッチの接点が接続され、前記雌コネクタ及び前記雄コネクタを介し、前記電源から電力が前記電子機器に供給されると同時に、前記脱着ロックが固定されるものであることを特徴とする。
【０００８】
また、本発明は、電源と前記電源から電力の供給を受ける電子機器とを電気的に接続するための雄コネクタと接続される雌コネクタにおいて、前記雌コネクタは、前記雄コネクタとの接合を固定するための着脱ロックと、制御スイッチと、接合スイッチを有しており、前記雌コネクタと前記雄コネクタを嵌合することにより、前記着脱ロックが回転し、前記雄コネクタと前記雌コネクタとの接合が固定され、前記接合スイッチを押下することにより、前記制御スイッチの接点が接続され、前記雌コネクタ及び前記雄コネクタを介し、前記電源から電力が前記電子機器に供給されると同時に、前記脱着ロックが固定されるものであることを特徴とする。
【０００９】
また、本発明は、電源と前記電源から電力の供給を受ける電子機器とを電気的に接続するための雄コネクタと雌コネクタからなるコネクタであって、前記雌コネクタには、前記雄コネクタとの接合を固定するための着脱ロックと、制御スイッチと、接合スイッチを有しており、前記雌コネクタと前記雄コネクタを嵌合することにより、前記着脱ロックが動き、前記雄コネクタと前記雌コネクタとの接合が固定され、前記接合スイッチを押下することにより、前記制御スイッチの接点が接続され、前記雌コネクタ及び前記雄コネクタを介し、前記電源から電力が前記電子機器に供給されると同時に、前記脱着ロックが固定されるものであることを特徴とする。
【００１０】
また、本発明は、前記制御スイッチは、金属からなる板バネ状のスイッチであることを特徴とする。
【００１１】
また、本発明は、前記着脱ロックは、一方にツメ状部を他方に円形状の凸部を有し、中央部に回転軸を有し回転可能な状態で、前記雌コネクタに固定されており、前記雄コネクタが、前記雌コネクタに嵌入することにより、前記雄コネクタの本体が前記円形状の凸部を押し、前記着脱ロックが回転することにより、前記ツメ状部が、前記雄コネクタの本体に接合し、前記雄コネクタと前記雌コネクタとの接合が固定されるものであることを特徴とする。
【００１２】
また、本発明は、前記雄コネクタには接地用プラグ端子が設けられており、前記雌コネクタには、前記接地用プラグ端子に対応した接地用ジャック端子が設けられおり、前記雌コネクタと雄コネクタとが嵌合した状態においては、前記接地用プラグ端子と前記接地用ジャック端子とは嵌合した状態にあることを特徴とする。
【００１３】
また、本発明は、前記電源より供給される電力は、直流であることを特徴とする。
【００１４】
また、本発明は、前記電源より供給される電力の電圧は、４８Ｖを超える電圧であることを特徴とする。
【発明の効果】
【００１５】
本発明によれば、高電圧の電力を安全に供給することが可能な雄コネクタ、雌コネクタ及びコネクタを提供することができる。
【発明を実施するための最良の形態】
【００１６】
〔第１の実施の形態〕
（コネクタの全体）
本実施の形態における雄コネクタ、雌コネクタ及びコネクタについて説明する。
【００１７】
図１に、本実施の形態における雄コネクタ、雌コネクタ及びコネクタの構成の概要を示す。
【００１８】
本実施の形態におけるコネクタは、雄コネクタ１０と雌コネクタ２０から構成されている。雄コネクタ１０は、電源ケーブル１５を介し、サーバ等の情報機器４０に接続されており、電力の供給を受けるための２本の電力用プラグ端子１１、１２、アースのための接地用プラグ端子１３を有している。
【００１９】
一方、雌コネクタ２０は電力を供給するための高圧電源５０に接続されている。雌コネクタ２０には、電力用プラグ端子１１、１２に対応している電力用ジャック端子２１、２２、接地用プラグ端子１３に対応している接地用ジャック端子２３を有している。
【００２０】
また、雌コネクタ２０には、２つの制御スイッチ３１、３２が設けられている。この制御スイッチ３１、３２は、板バネ状のスイッチ等により構成されており、接点が接触することにより電流が流れる。
【００２１】
この制御スイッチ３１、３２の接点を接続するための接合スイッチ９０が設けられており、接合スイッチ９０を押下することにより、制御スイッチ３１、３２における接点が接続される構成となっている。
【００２２】
制御スイッチ３１の一方の端子は、高圧電源５０の正の出力に接続されており、他方の端子は、電力用ジャック端子２１に接続されている。また、制御スイッチ３２の一方の端子は、高圧電源５０の負の出力に接続されており、他方の端子は、電力用ジャック端子２２に接続されている。
【００２３】
制御スイッチ３１、３２の接点が接続されることにより、雌コネクタ２０における電力用ジャック端子２１、２２に電力が供給され、更には、雄コネクタ１０における電力用プラグ端子１１、１２を介し、サーバ等の情報機器４０に電力が供給される。
【００２４】
本実施の形態におけるコネクタでは、電力用ジャック端子２１、２２の各々に、制御スイッチ３１、３２が接続されているが、これは４８Ｖ超える電圧、更には２００Ｖ以上の電圧である高電圧の直流電力の場合では、接触することにより人体に与える危険が極めて高いため、電力用ジャック端子２１、２２の双方に制御スイッチ３１、３２を設け接続することにより、電力用ジャック端子２１、２２の双方からの電力供給を制御し、安全性をより一層高めている。
【００２５】
（雌コネクタ）
次に、図２に基づき本実施の形態における雌コネクタの構造について説明する。図２（ａ）は、本実施の形態における雌コネクタ２０の上面図であり、図２（ｂ）は、図２（ａ）において矢印Ａから見た一部が透過した正面図であり、図２（ｃ）は、図２（ａ）において矢印Ｂから見た一部が透過した側面図である。
【００２６】
本実施の形態における雌コネクタ２０は、後述する雄コネクタ１０が嵌入することができるように凹部２５が形成されており、この凹部２５の底面の下に電力用ジャック端子２１、２２、接地用ジャック端子２３が設けられている。前述したように、制御スイッチ３１の一方の端子は高圧電源５０の正の出力に接続されており、他方の端子は、電力用ジャック端子２１に接続されている。また、制御スイッチ３２の一方の端子は、高圧電源５０の負の出力に接続されており、他方の端子は、電力用ジャック端子２２に接続されている。
【００２７】
また、雌コネクタ２０の凹部２５の側面には、脱着ロック８０が設けられている。この脱着ロック８０は、一方にツメ状部８１を有し、他方に円形状の凸部８２を有している。脱着ロック８０は、その中央部において回転軸８３が設けられており、雌コネクタ２０の本体と回転軸を介し接合されている。これにより、脱着ロック８０は回転軸８３を中心に回転可能な構成となっている。また、回転軸８３の回りには、巻バネ８４が設けられており、雄コネクタ１０が雌コネクタ２０の凹部２５に嵌入されていない状態では、円形状の凸部８２が雌コネクタ２０の凹部２５の側面に出っ張った状態となる。また、脱着ロック８０の他方には、円形の凸部８２とともに、後述するストッパー部８５が設けられている。このストッパー部８５は、回転軸８３と略平行に伸びたＬ字状の突起部により構成されている。
【００２８】
（雄コネクタ）
次に、図３に基づき本実施の形態における雄コネクタ１０について説明する。図３（ａ）は、本実施の形態における雄コネクタ１０の底面図、図３（ｂ）は、本実施の形態における雄コネクタ１０の正面図、図３（ｃ）は、本実施の形態における雄コネクタ１０の上面図である。
【００２９】
本実施の形態における雄コネクタ１０は、フランジ１６側に、電力用プラグ端子１１、１２と、接地用プラグ端子１３を有している。雄コネクタ１０の本体は、電源ケーブル１５と接続されており、差込方向に沿って本体の一部が除去された構造のロック引っ掛け部１７が設けられている。フランジ１６は、後述する雌コネクタ２０の脱着ロック８０を回転させる機能及び雌コネクタ２０と雄コネクタ１０を固定する際に用いられるのみならず、人が雌コネクタ２０より雄コネクタ１０を抜き差しする際の人体との絶縁状態を高める機能も有している。
【００３０】
尚、本実施の形態における雄コネクタ１０のロック引っ掛け部１７は上述の構造に限られるものではなく、図３（ｄ）、図３（ｅ）に示すように、フランジ１６近傍の本体の一部が除去された構造のロック引っ掛け部１７であってもよい。尚、図３（ｄ）は、このような構造の雄コネクタ１０の正面図であり、図３（ｅ）は、雄コネクタ１０の側面図である。
【００３１】
又、本実施の形態においては、電力用プラグ端子１１、１２、接地用プラグ端子１３は円筒状の構成のものであるが、ブレード（刃）型ものであってもよい。
【００３２】
（コネクタの接合）
次に、図４に基づき、雄コネクタ１０と雌コネクタ２０とが嵌合した状態について説明する。図４は、図２に示す雌コネクタ２０と図３に示す雄コネクタ１０とが嵌合した状態において一部が透過した側面図である。
【００３３】
雄コネクタ１０が雌コネクタ２０と嵌合することにより、電力用プラグ端子１２（１１）は、電力用ジャック端子２２（２１）に各々嵌合し、接地用プラグ端子１３は、電力用ジャック端子２３に嵌合する。また、雄コネクタ１０が雌コネクタ２０と嵌合することにより、雄コネクタ１０のフランジ１６の側面が、雌コネクタ２０に設けられた着脱ロック８０の円形状の凸部８２と接触しこの部分を押す。円形状の凸部８２が押された力により、着脱ロック８０は破線で示した状態から実線で示した状態に回転軸８３を中心に回転し、着脱ロック８０のツメ状部８１が、雄コネクタ１０のロック引っ掛け部１７が形成されている領域のフランジ１６を固定する。これにより、雄コネクタ１０と雌コネクタ２０の嵌合状態を維持することが可能である。尚、この状態では、着脱ロック８０は回転軸８３を中心に回転可能であり、雌コネクタ２０より雄コネクタ１０を引く抜くことが可能である。この際、巻バネ８４により着脱ロック８０は、元の雌コネクタ２０に雄コネクタ１０が差し込まれる前の状態に戻る。
【００３４】
又、この状態では、雄コネクタ１０の電力用プラグ端子１２（１１）は、雌コネクタ２０の電力用ジャック端子２２（２１）に嵌合しているものの、電力用ジャック端子２２（２１）と接続されている制御スイッチ３２（３１）の接点は開いた状態のままであるため、電源からの電力は、電力用ジャック端子２２（２１）及び電力用プラグ端子１２（１１）には供給されてはいない。
【００３５】
次に、図５に基づき電力を供給するための接合スイッチ９０について説明する。図５は、本実施の形態における雌コネクタ２０の接合スイッチ９０の構造を示すものであり、図５（ａ）は、本実施の形態の雄コネクタ１０が雌コネクタ２０に嵌合される前であって、接合スイッチ９０が押される前の状態において、接合スイッチ９０の一部を透過した側面図であり、図５（ｂ）は、図５（ａ）における矢印Ｃから見た接合スイッチ９０の一部を透過した正面図である。また、図５（ｃ）は、本実施の形態の雄コネクタ１０が雌コネクタ２０に嵌合され、接合スイッチ９０が押された状態において、接合スイッチ９０の一部を透過した側面図であり、図５（ｄ）は、図５（ｃ）における矢印Ｃから見た接合スイッチ９０の一部を透過した正面図である。
【００３６】
接合スイッチ９０は、押しボタンスイッチ等により形成されており、一度押すと押し込まれてオン状態となり、再び押すと元に戻りオフ状態となる構成のものである。
【００３７】
図５（ａ）、（ｂ）に示すように、接合スイッチ９０は、制御スイッチ３２（３１）を押すための接点押下軸９１と、着脱ロック８０のストッパー部８５が移動可能な切り欠き部９２と、接合スイッチ９０が押された状態で着脱ロック８０のストッパー部８５を固定するストッパー固定部９３と、押された状態から復帰するための巻バネ９４と、接合スイッチ９０を押す度に回転し、交互にオン、オフ状態とするノック回転部９５から構成されている。この状態では、接合スイッチ９０は押されていないため、制御スイッチ３２（３１）の接点は、開いた状態であり接続されていない。
【００３８】
このような雌コネクタ２０の凹部１６に雄コネクタ１０を嵌合することにより、図４に示すように、雄コネクタ１０のフランジ１６により着脱ロック８０の円形状の凸部８１が押され、脱着ロック８０は、回転軸８３を中心に回転する。この回転により、脱着ロック８０のストッパー部８５は、接合スイッチ９０における切り欠き部９２を通ることが可能である。
【００３９】
この後、図５（ｃ）、（ｄ）に示すように、雌コネクタ２０の凹部２５に雄コネクタ１０が嵌合されている状態において、接合スイッチ９０を押す。この接合スイッチ９０を押すことにより、押された力で、板バネスイッチである制御スイッチ３２が撓み、接点が閉じた状態となり接続される。これにより、高電圧電源５０からの電力が、電力用ジャック端子２２（２１）及び電力用プラグ端子１２（１１）を介し供給される。
【００４０】
一方、雌コネクタ２０の凹部２５に雄コネクタ１０を嵌合させることにより、前述のとおり、図４に示すように、着脱ロック８０は回転し、脱着ロック８０のツメ状部８１は雄コネクタ１０のフランジ１６に引っかかった状態となっている。この状態で、接合スイッチ９０を押すことにより、着脱ロック８０のストッパー部８５は、接合スイッチ９０のストッパー固定部９３により固定され、着脱ロック８０は、回転軸８３を中心とした回転をすることができない状態となる。
【００４１】
このような着脱ロック８０が回転できない状態では、雌コネクタ２０の着脱ロック８０のツメ状部８１は、雄コネクタ１０のフランジ１６に引っかかり、雌コネクタ２０より雄コネクタ１０を引き抜くことができず、雌コネクタ２０と雄コネクタ１０との嵌合状態は維持される。
【００４２】
尚、本実施の形態における接合スイッチ９０は、再び押すことにより、ノック回転部９５が回転し、巻バネ９４の力により、元の伸びた状態に戻る。この状態では、着脱ロック８０のストッパー部８５は移動可能であり、雄コネクタ１０と雌コネクタ２０の嵌合は外すことができる。
【００４３】
（電力供給システム）
次に、本実施の形態におけるコネクタを用いた電力供給システムの構成を説明する。
【００４４】
図６は、本実施の形態におけるコネクタを用いた電力供給システムの構成を示すものである。
【００４５】
この電力供給システムは、商用電源７０より供給されるＡＣ１００Ｖ又はＡＣ２００Ｖの電力を高圧電源５０に入力し、高圧電源５０におけるＡＣ／ＤＣ変換器５１により、ＡＣ１００Ｖ又はＡＣ２００ＶをＤＣ４００Ｖに変換する。直流電力は、バッテリー等により蓄電することが可能であるため、バックアップ用にバッテリー５２を設けることにより、停電等の場合においても容易に対応することが可能である。高圧電源５０には電源ケーブルを介し、本実施の形態における雌コネクタ２０が接続されており、高圧電源５０からの４００ＶＤＣの電力は、雌コネクタ２０より供給される。
【００４６】
一方、本実施の形態における雄コネクタ１０は、サーバ等の情報機器４０と電源ケーブル１５を介し接続されており、雌コネクタ２０と雄コネクタ１０とを電気的に接続することにより、高圧電源５０からの電力が、サーバ等の情報機器４０に供給される。
【００４７】
また、サーバ等の情報機器４０内には、４００ＶＤＣをＣＰＵ４２等の電子部品の動作が可能な低電圧のＤＣ出力に変換するＤＣ／ＤＣ変換器４１が設けられている。
【００４８】
このような、電力供給システムでは、商用電源７０からのＡＣからＤＣへの変換が一回で済むため電力損失が少ないこと、高電圧な直流である４００ＶＤＣでは、導線等の太さを気にする必要があまりないこと、直流であることからバッテリー５２に蓄えることが可能であり、商用電源７０の供給が停電等により停止した場合においても、対応しやすいこと等の利点を有している。
【００４９】
次に、図７に基づき、本実施の形態におけるコネクタを用いたＰＤＵ（パワー・ディストリビューション・ユニット）について説明する。
【００５０】
図６に示される高圧電源５０より供給される４００ＶＤＣは、一旦、分電盤７０に入力し、各々のＰＤＵ（パワー・ディストリビューション・ユニット）３０に電力が分配される。各々のＰＤＵ３０には、本実施の形態における雌コネクタ２０が複数設けられており、各々の雌コネクタ２０を介し４００ＶＤＣの電力を供給することが可能である。一方、サーバラック４５には、複数のサーバ等の情報機器４０が収納されており、各々のサーバ等の情報機器４０には、電源供給を受けるための雄コネクタ１０が電源ケーブル１５を介し接続されている。雄コネクタ１０は、ＰＤＵ３０に設けられた雌コネクタ２０と電気的に接続することにより、４００ＶＤＣの電力が供給されるように構成されている。
【００５１】
〔第２の実施の形態〕
第２の実施の形態は、雄コネクタに着脱ロックを回転させる着脱ピンを設けた構成のものである。
【００５２】
具体的に、図８に基づき本実施の形態における雄コネクタ１１０について説明する。図８（ａ）は、本実施の形態における雄コネクタ１１０の底面図、図８（ｂ）は、本実施の形態における雄コネクタ１１０の正面図、図８（ｃ）は、本実施の形態における雄コネクタ１１０の上面図である。
【００５３】
本実施の形態における雄コネクタ１１０は、フランジ１１６側に、電力用プラグ端子１１１、１１２と、接地用プラグ端子１１３と、脱着ピン１１４を有している。雄コネクタ１１０の本体は、電源ケーブル１１５と接続されており、差込方向に沿って本体の一部が除去された構造のロック引っ掛け部１１７が設けられている。フランジ１１６は、後述する雌コネクタ１２０の脱着ロック１８０により雄コネクタ１１０固定する際に用いられるのみならず、人が雌コネクタ１２０より雄コネクタ１１０を抜き差しする際の人体との絶縁状態を高める機能も有している。
【００５４】
尚、本実施の形態における雄コネクタ１１０は上述のものに限られるものではなく、図８（ｄ）に示すように、電力用プラグ端子１１１、１１２、接地用プラグ端子１１３、脱着ピン１１４の間に突起部１１９を設けることにより、電極間の沿面距離を増やすことができる。また、この突起部１１９は溝であっても良い。
【００５５】
更に、本実施の形態においては、電力用プラグ端子１１１、１１２、接地用プラグ端子１１３は円筒状の構成のものであるが、ブレード（刃）型ものであってもよい。また、電力用プラグ端子１１１、１１２は逆に挿入することを防止するため異なる大きさにより形成してもよい。
【００５６】
次に、本実施の形態における雄コネクタ１１０と雌コネクタ１２０とが嵌合された状態について図９に基づき説明する。図９は、図８に示す雄コネクタ１１０とこの雄コネクタ１１０に対応する雌コネクタ１２０とが嵌合された状態における一部が透過した側面図である。
【００５７】
雄コネクタ１１０が雌コネクタ１２０と嵌合することにより、電力用プラグ端子１１２（１１１）は、電力用ジャック端子１２２（１２１）に各々嵌合し、接地用プラグ端子１１３は、電力用ジャック端子１２３に嵌合する。また、雄コネクタ１１０が雌コネクタ１２０と嵌合することにより、雄コネクタ１１０の脱着ピン１１４が、雌コネクタ１２０に設けられた着脱ロック１８０の円形状の凸部１８２と接触しこの部分を押す。円形状の凸部１８２が押されることにより、着脱ロック１８０は破線で示した状態から実線で示した状態に回転軸１８３を中心に回転し、着脱ロック１８０のツメ状部１８１が、雄コネクタ１１０のロック引っ掛け部１１７が形成されている領域のフランジ１１６を固定する。これにより、雄コネクタ１１０と雌コネクタ１２０の嵌合状態を維持することが可能である。尚、この状態では、着脱ロック１８０は回転軸１８３を中心に回転可能であり、雌コネクタ１２０より雄コネクタ１１０を引く抜くことが可能である。この際、巻バネ１８４により着脱ロック１８０は、元の雌コネクタ１２０に雄コネクタ１１０が差し込まれる前の状態に戻る。
【００５８】
又、この状態では、雄コネクタ１１０の電力用プラグ端子１１２（１１１）は、雌コネクタ１２０の電力用ジャック端子１２２（１２１）に嵌合しているものの、電力用ジャック端子１２２（１２１）と接続されている制御スイッチ１３２（１３１）の接点は開いた状態のままであるため、電源からの電力は、電力用ジャック端子１２２（１２１）及び電力用プラグ端子１１２（１１１）には供給されてはいない。
【００５９】
上記以外の事項に関しては、第１の実施の形態と同様である。
【００６０】
尚、上記説明においては、４００ＶＤＣの場合について詳しく説明したが、本発明の実施の形態として記載されている雄コネクタ、雌コネクタ及びコネクタは直流（ＤＣ）であれば、用いることが可能である。特に、直流の場合はＡＣと異なり、人体に安全な周波数というのも存在しないからである。
【００６１】
また、人体における影響の観点から直流電圧としては、通常は４８Ｖ以下の電圧が用いられている。これは、通常４８Ｖ以下であれば、感電により人体に与える影響が殆どないためであり、このことから、４８Ｖを超える電圧の場合、人体に与える影響は大きく、特に、２００Ｖ以上の電圧は危険である。
【００６２】
本発明の実施の形態における雄コネクタ、雌コネクタ及びコネクタは、安全性を高めた構成であることから、４８Ｖを超える電圧、更には、２００Ｖ以上の電圧に特に顕著な効果を発揮するものである。即ち、本実施の形態における雄コネクタ、雌コネクタ及びコネクタは、従来とは異なる構成により安全性を高めているため、４８Ｖを超える電圧、更には、２００Ｖ以上の電圧についても安全性が高められているため、特に、顕著な効果を発揮するものである。
【００６３】
以上、本発明の実施に係る形態について説明したが、上記内容は、発明の内容を限定するものではない。
【図面の簡単な説明】
【００６４】
【図１】第１の実施の形態におけるコネクタの配線図
【図２】第１の実施の形態における雌コネクタの構成図
【図３】第１の実施の形態における雄コネクタの構成図
【図４】第１の実施の形態におけるコネクタの嵌合状態の透過側面図
【図５】第１の実施の形態における雌コネクタと雄コネクタの接合方法の説明図
【図６】第１の実施の形態におけるコネクタを用いた電源供給システムの構成図
【図７】第１の実施の形態におけるコネクタを用いたＰＤＵの斜視図
【図８】第２の実施の形態における雄コネクタの構成図
【図９】第２の実施の形態におけるコネクタの嵌合状態の透過側面図
【符号の説明】
【００６５】
１０    雄コネクタ
１１    電力用プラグ端子（＋）
１２    電力用プラグ端子（−）
１３    接地用プラグ端子
１５    電源ケーブル
２０    雌コネクタ
２１    電力用ジャック端子（＋）
２２    電力用ジャック端子（−）
２３    接地用プラグ端子
３１    制御スイッチ
３２    制御スイッチ
３３    接合スイッチ
４０    サーバ等の情報機器
５０    高圧電源
【図１】
2010033967.tif 000003
【図２】
2010033967.tif 000004
【図３】
2010033967.tif 000005
【図４】
2010033967.tif 000006
【図５】
2010033967.tif 000007
【図６】
2010033967.tif 000008
【図７】
2010033967.tif 000009
【図８】
2010033967.tif 000010
【図９】
2010033967.tif 000011